(57)【特許請求の範囲】
【請求項１】
非接触ＩＣカードをカードケース本体内に収納したままの状態で外部装置と交信を行うことができる非接触ＩＣカードケースであって、
前記カードケース本体は、矩形状の２枚の樹脂シートの間にスペーサ片を挟み込んで接着されていることで、一方に開口部を有する収納部が設けられ、前記収納部内には、前記非接触ＩＣカードが収納されて前記開口部が封止部材で封止され、
前記非接触ＩＣカードケースに前記非接触ＩＣカードの記憶部に記憶された個人情報の少なくとも一部が表示され、前記個人情報を表示する手段として、裏面に粘着剤を設けたタック紙の表面に個人情報を表示記録したものが、前記カードケース本体に貼付されていることを特徴とする非接触ＩＣカードケース。
【請求項２】
前記個人情報が前記非接触ＩＣカード使用者の氏名であることを特徴とする請求項１記載の非接触ＩＣカードケース。
【請求項３】
前記個人情報が前記非接触ＩＣカード使用者の顔画像であることを特徴とする請求項１記載の非接触ＩＣカードケース。
【発明の詳細な説明】
【０００１】
【発明の属する技術分野】
本発明は、非接触ＩＣカードをカードケース本体内に収納したままの状態で外部装置と交信を行うことができる非接触ＩＣカードケース及び非接触ＩＣカードの発行システムに関し、更に詳しくは、同一の非接触ＩＣカードを複数の使用者に繰り返し再利用できる状態で発行するための非接触ＩＣカードケース及び非接触ＩＣカードの発行システムに関する。
【０００２】
【従来の技術】
従来より、外部装置と無線通信により各種情報の交信を行う方式を有する非接触ＩＣカードが種々のカードシステムに用いられている。
この非接触ＩＣカードは、通常ＩＣチップとアンテナ用コイルを内臓させた構造を有し、外部装置との間で非接触で各種情報の交信を行うことができるようにすることで、使用に際して接続端子を有する接触式ＩＣカードのようにいちいちカードを取り出してカードリーダライタに挿入する必要がなく、従って、非接触ＩＣカードを衣服に付けたり、また首などにぶら下げたままの状態で外部装置に対して各種情報の交信を行うことができることから改札システムやゲートシステム等に特に効果的な媒体として用いられている。
【０００３】
しかしながら、これらの非接触ＩＣカードは、ＩＣチップを内臓すると共にこのＩＣチップと外部装置との間の情報の交信を無線で行うため、アンテナ等の通信手段をカードに設ける必要があり、従って例えば磁気カードや接触式ＩＣカード等に比較して複雑な構造を備え、１枚のカードが比較的高価なものとなるため、カード発行者はカードの発行に際して比較的高価な非接触ＩＣカードを発行するだけの投資に対する効果を事前に十分検討する必要がある。
つまり、一般的に顧客等に一旦発行した非接触ＩＣカードは、たとえ使用期限が終了した場合でもカード発行者側が非接触ＩＣカードを回収することをしないため、比較的高価な非接触ＩＣカードを顧客等に発行したとしても、それぞれの顧客の売り上げが予想したよりも伸びなかった場合には、非接触ＩＣカードの発行費用も回収できない等の危険性があり問題である。
【０００４】
また、たとえ使用期限が終了した後に、カード発行者側が非接触ＩＣカードをカード使用者である顧客等から回収したとしても、カード使用者がカード表面に個人の名前を書き込んだり、また既にカード表面に傷が付いてしまったりしていることが多く、従ってこれら一度使用した非接触ＩＣカードを新規の顧客に対して再発行することは、カード発行者のイメージダウンになる危険性もあり、実際上、他の使用者に対して既に一度発行して使用した非接触ＩＣカードを再度発行することはできないという問題がある。
【０００５】
【発明が解決しようとする課題】
本発明の課題は、他の使用者に対して既に一度発行して使用した非接触ＩＣカードを、別の使用者に対して再度発行できるようにすることで、比較的高価な非接触ＩＣカードを無駄なく利用でき、各種のカードシステムに気軽に非接触ＩＣカードを採用することができると共に、無駄な廃棄物をできるだけ減少させるようにする非接触ＩＣカードケースを提供することにある。
また、非接触ＩＣカードの使用者を外観上すぐに特定することができるようにすることで、たとえ紛失した場合でも、使用者を確認することができるようにすると共に、盗まれた場合でも本来の使用者であるか否かを確認することが可能な非接触ＩＣカードケースを提供することにある。
そして、同一の非接触ＩＣカードを複数の使用者に繰り返し再利用できる状態で発行することが可能な非接触ＩＣカードの発行システムを提供することにある。
【０００６】
【課題を解決するための手段】
本発明の非接触ＩＣカードケースは、非接触ＩＣカードをカードケース本体内に収納したままの状態で外部装置と交信を行うことができる非接触ＩＣカードケースであって、
前記カードケース本体は、矩形状の２枚の樹脂シートの間にスペーサ片を挟み込んで接着されていることで、一方に開口部を有する収納部が設けられ、前記収納部内には、前記非接触ＩＣカードが収納されて前記開口部が封止部材で封止され、
前記非接触ＩＣカードケースに前記非接触ＩＣカードの記憶部に記憶された個人情報の少なくとも一部が表示され、前記個人情報を表示する手段として、裏面に粘着剤を設けたタック紙の表面に個人情報を表示記録したものが、前記カードケース本体に貼付されていることを特徴とするものである。
また、前記個人情報が前記非接触ＩＣカード使用者の氏名であることを特徴とするものである。
【０００７】
また、本発明の非接触ＩＣカードケースは、前記個人情報が前記非接触ＩＣカード使用者の顔画像であることを特徴とするものである。
【００１０】
【発明の実施の形態】
以下、本発明の実施の形態を図面に基づいて詳細に説明する。
図１は、本発明の非接触ＩＣカードケースの平面図、図２は、図１のＡ−Ａ線断面図、図３は、個人情報を印字したラベル紙を貼付した場合の実施形態を示す本発明の非接触ＩＣカードケースの断面図、図４は、本発明に使用するカードケース本体の平面図、図５は、図４のＢ−Ｂ線断面図、図６は、本発明の非接触ＩＣカードの発行システムの概略的な工程を説明するブロック図である。
【００１１】
以下、本発明の非接触ＩＣカードケース及び非接触ＩＣカードの発行システムについて説明する。
まず、本発明の非接触ＩＣカードケース１は、図１，図２に示すように、例えば透明軟質塩化ビニル樹脂等からなるカードケース本体２内に非接触ＩＣカード５を収納した状態で使用するものである。
そして、カードケース本体２は、図４，図５に示すように、矩形状の２枚の樹脂シート３ａ，３ｂの間の三方周縁部にコ字状のスぺーサ片４を挟み込んで接着することで、非接触ＩＣカード５を収納することのできる収納部８を設け、また、前記三方周縁部の残りの一方の周縁部には、非接触ＩＣカード５を挿入及び取り出すための開口部６が形成されている。
【００１２】
矩形状の２枚の樹脂シート３ａ，３ｂは、前方の樹脂シート３ａが後方の樹脂シート３ｂよりも上部付近において小さいサイズをしていて、樹脂シート３ｂの上部付近には、カードケース本体２を首等にかけて保持するための穴７が２個所に形成されている。
また、この穴７の代わりに、樹脂シート３ｂの裏側にクリップや安全ピンを設けることで、非接触ＩＣカードケース１の使用者の衣服に止めるようにしてもよい。
なお、カードケース本体２は、上記構成の他に熱可塑性樹脂を金型に入れ成形することで一体的に形成することで、一辺に開口部６を有するカードケース本体２を作製してもよいもので、前記した作製工程に限定されるものではない。
【００１３】
そして、カードケース本体２の収納部８には、非接触ＩＣカード５が開口部６から挿入された状態でセットされ、非接触ＩＣカード５がカードケース本体２から簡単取り出されることを防止するために封止部材９が開口部６に接着されている。
これは、非接触ＩＣカード発行者がカードケース本体２の収納部８に非接触ＩＣカード５を入れた状態で発行した後に、非接触ＩＣカード使用者がカードケース本体２から非接触ＩＣカード５を取り出して、非接触ＩＣカード５に自分の名前等を記入をしたりまた傷つけたりしないようにするためで、その非接触ＩＣカードをその後、他の使用者に再使用できない状態になることを防止するためである。
【００１４】
非接触ＩＣカード５には、ＩＣチップが内臓され、このＩＣチップのＩＣメモリには、非接触ＩＣカード５をカードケース本体２に収納した状態で発行する際に、非接触ＩＣカード５の使用者を特定する個人情報が書き換え可能な状態でＩＣメモリに記憶されている。
そして、非接触ＩＣカード５の表裏面には、非接触ＩＣカード５の使用者を特定する個人情報は一切表示されていない。
また、一方カードケース本体２の樹脂シート３ａの表面には、非接触ＩＣカード５の使用者を特定する個人情報が表示記録されている。
この個人情報の表示記録１０とは、例えば非接触ＩＣカード５の使用者名、ＩＤ番号、使用者の所属部署名、有効期限等の印字による表示記録や、また使用者の顔画像等の画像による表示記録が昇華転写プリンターや感熱転写プリンターにより樹脂シート３ａの表面に直接表示されている。
【００１５】
また、カードケース本体２に個人情報の表示記録１０を設ける手段として、樹脂シート３ａの表面に直接表示する他に、図３に示すように、まず裏面に粘着剤１１を設けたタック紙１２の表面に個人情報を表示記録したものを、カードケース本体２に貼付する構成にしてもよい。
【００１６】
本発明の非接触ＩＣカードケース１では、非接触ＩＣカード５の使用者を特定する個人情報は非接触ＩＣカード５のＩＣメモリに書き換え可能に記憶されているだけで、非接触ＩＣカード５自体には記録表示されていないものであるので、ＩＣメモリの記憶情報を書き換えるだけで非接触ＩＣカード５を他の使用者に繰り返し使用することができる。
また、非接触ＩＣカードケース１を再使用する際には、カードケース本体２から非接触ＩＣカード５を傷付けずに取り出す必要があるが、個人情報が表示されたカードケース本体２は、使用者が変更され新たに使用する人の個人情報をカードケース本体２に記録表示してから発行するので、破壊してもよい。
【００１７】
次に、本発明の非接触ＩＣカードの発行システムを図６に基づいて説明する。
まず、非接触ＩＣカード５をカードケース本体２の収納部８に収納手段１８により収納した後、開口部６に封止部材９を設けてこれを接着し、カードケース本体２内から非接触ＩＣカード５が簡単に取り出せないようにする。
そして、非接触ＩＣカード５の発行情報として、使用者を特定する個人情報、例えば使用者名、ＩＤ番号、使用者の所属部署名、有効期限等や、使用者の顔画像等の情報をあらかじめ記憶手段１３に記憶させておき、制御手段１５を介して表示記録手段１６へこれらの情報を送る。
また、入力手段１４から直接個人情報を入力して、制御手段１５を介して表示記録手段１６へこれらの発行情報を送るようにしてもよい。
【００１８】
次に、カードケース本体２の表面に、昇華転写プリンターや感熱転写プリンター等の表示記録手段１６により非接触ＩＣカード５の発行情報として、使用者を特定する個人情報１０を表示記録するか、または裏面に粘着剤１１を設けたタック紙１２の表面に表示記録手段１６により個人情報を表示記録し、このタック紙１２をカードケース本体２に貼付することでカードケース本体２の表面に、使用者を特定する個人情報１０を表示記録する。
【００１９】
そして、最後に制御手段１５からＩＣ書き込み（読取り）手段１７に送られた非接触ＩＣカード５の発行情報として使用者を特定する個人情報１０を、ＩＣ書き込み（読取り）手段１７により非接触ＩＣカード５のＩＣメモリに記憶させることで発行準備が完了し、その後使用者に対して、カードケース本体２内に非接触ＩＣカード５が設けられた状態の非接触ＩＣカードケース１が発行される。
【００２０】
上記のようにして発行された本発明の非接触ＩＣカードケース１は、その使用者に定められた有効期限が終了後、発行者側に返却してもらう。
そして、カードケース本体２を破壊等してカードケース本体２内から非接触ＩＣカード５を取り出し、既にＩＣメモリに記憶されている発行情報である使用者を特定する個人情報を一旦消去しておく。
これにより、次の使用者に対して非接触ＩＣカード５を発行する必要が生じた場合に、新しいカードケース本体２を用いて、このカードケース本体２内に既に使用済みの非接触ＩＣカード５を収納し、上記のシステムと同様の手順で繰り返し同一の非接触ＩＣカード５を発行することができる。
【００２１】
また、非接触ＩＣカードのＩＣに予め固有の識別コードが記憶されている場合には、ＩＣに記憶された情報をＩＣ書き込み（読取り）手段１７で読取って、これに対応する個人情報を記憶手段１３から読取り、表示記録手段１６により非接触ＩＣカード５の使用者を特定する個人情報１０を表示記録し、またＩＣ書き込み（読取り）手段１７で非接触ＩＣカードのＩＣに記憶させるようにすることもできる。
【００２２】
【発明の効果】
以上説明したように、本発明の非接触ＩＣカードケースは、他の使用者に対して既に一度発行して使用した非接触ＩＣカードを、別の使用者に対して再度発行することができるので、比較的高価な非接触ＩＣカードを無駄なく利用でき、各種のカードシステムに気軽に非接触ＩＣカードを採用することができると共に、廃棄物が減少するので省資源化を図ることができる。
【００２３】
また、個人情報を非接触ＩＣカード使用者の氏名とすれば、非接触ＩＣカードケースを紛失した場合でも、使用者をすぐに特定できるので便利である。
また、非接触ＩＣカード使用者の顔画像を非接触ＩＣカードケースに表示することで、第三者が顔画像を見ることで使用者を確認することができるので、セキュリティー上の効果があるものである。
【００２４】
次に、本発明の非接触ＩＣカードの発行システムは、同一の非接触ＩＣカードを複数の使用者に繰り返し再利用できる状態で発行することができるので、非接触ＩＣカードを無駄なく利用でき、廃棄物が減少するので省資源化を図ることができ、しかもたとえ有効期限の短い使用者に対しても気軽に非接触ＩＣカードを発行することができ、特に個人情報を用いて発行することで、個人を特定した発行を行うことができる。
また、本発明の非接触ＩＣカードの発行システムによれば、プリンターの種類に応じたシステムでカードケース本体に直接又はラベルを介して個人情報を表示記録することができるので、広範囲な利用が可能である。
【図面の簡単な説明】
【図１】本発明の非接触ＩＣカードケースの平面図である。
【図２】図１のＡ−Ａ線断面図である。
【図３】個人情報を印字したラベル紙を貼付した場合の実施形態を示す本発明の非接触ＩＣカードケースの断面図である。
【図４】本発明に使用するカードケース本体の平面図である。
【図５】図４のＢ−Ｂ線断面図である。
【図６】本発明の非接触ＩＣカードの発行システムの概略的な工程を説明するブロック図である。
【符号の説明】
１  非接触ＩＣカードケース
２  カードケース本体
３ａ，３ｂ  樹脂シート
４  スペーサ片
５  非接触ＩＣカード
６  開口部
７  穴
８  収納部
９  封止部材
１０  個人情報の表示記録
１１  粘着剤
１２  タック紙
１３  記憶手段
１４  入力手段
１５  制御手段
１６  表示記録手段
１７  ＩＣ書き込み（読取り）手段
１８  収納手段
【図１】
0004422259.tif 000002
【図２】
0004422259.tif 000003
【図３】
0004422259.tif 000004
【図４】
0004422259.tif 000005
【図５】
0004422259.tif 000006
【図６】
0004422259.tif 000007